(57)【要約】【課題】情報カードの収納構造によらず、情報カードを適切に着脱することができる電子機器を提供することにある。【解決手段】機器本体と、情報が記憶され、機器本体に対して着脱可能な情報カードと、機器本体に装着され、機器本体に電力を供給するバッテリと、情報カードを着脱可能な状態で収容する収容部と、機器本体に対して、情報カードが着脱中であるかを検出する検出部と、検出部によって情報カードが着脱中であることが検出されている間は、機器本体の駆動を停止する切換部と、を有することで上記課題を解決する。【選択図】図１
2010224781.tif 000002
【特許請求の範囲】
【請求項１】
機器本体と、
前記機器本体に電力を供給するバッテリと、
情報を記憶し、前記機器本体に対して着脱可能な情報カードを収容する収容部と、
前記機器本体に対して、前記情報カードが着脱中であるかを検出する検出部と、
前記検出部によって前記情報カードが着脱中であることが検出されている間は、前記バッテリからの電力供給による前記機器本体の駆動を停止する切換部と、を有することを特徴とする電子機器。
【請求項２】
前記切換部は、前記検出部によって、前記情報カードが着脱中であることが検出されている間は、前記バッテリから前記機器本体への電力の供給を停止することを特徴とする請求項１に記載の電子機器。
【請求項３】
前記バッテリは、前記収納部に対向し、
前記情報カードの着脱時に、前記情報カードが前記バッテリ上を移動することを特徴とする請求項１または２に記載の電子機器。
【請求項４】
前記切換部は、前記検出部による検出結果を電気信号として検出し、検出した電気信号に基づいて、前記機器本体の駆動動作を制御することを特徴とする請求項１から３のいずれか１項に記載の電子機器。
【請求項５】
前記切換部は、前記情報カードが装着されたことを検出したら、前記バッテリから前記機器本体へ電力の供給を開始することを特徴とする請求項１から４のいずれか１項に記載の電子機器。
【請求項６】
前記情報カードは、前記機器本体を情報端末として使用可能な状態にする情報を記憶していることを特徴とする請求項１から５のいずれか１項に記載の電子機器。
【請求項７】
前記検出部は、前記情報カードの着脱時に前記情報カードの移動経路上に配置されていることを特徴とする請求項１から６のいずれか１項に記載の電子機器。
【請求項８】
前記情報カードは、長方形の４つの角のうち１つの角に切り欠き部が形成された５角形の板形状であり、
前記検出部は、前記情報カードの着脱時に、前記切り欠き部と接触する接触部を有し、
前記接触部は、前記情報カードが装着されたときには、前記切り欠き部と接触しないことを特徴とする請求項１から７のいずれか１項に記載の電子機器。
【請求項９】
前記接触部は、前記情報カードの着脱時に前記情報カードによって押されることを特徴とする請求項８に記載の電子機器。
【請求項１０】
情報カードを着脱可能に収容する収容部と、機器本体に電力を供給するバッテリとを有する電子機器の制御方法であって、
前記情報カードを前記機器本体に装着または離脱させる着脱動作中であるか検出する検出ステップと、
前記検出ステップで、前記情報カードの着脱動作中であることを検出したら前記バッテリから前記機器本体への電力供給を停止する電力供給停止ステップと、を有することを特徴とする電子機器の制御方法。
【発明の詳細な説明】
【技術分野】
【０００１】
本発明は、着脱可能な情報カードを有する電子機器及び電子機器の制御方法に関するものである。
【背景技術】
【０００２】
携帯電話機等の電子機器では、電子機器本体を変えても同一の電話番号を利用可能とするために、ＵＩＭカード（User Identity Module Card）や、ＳＩＭカード（Subscriber Identity Module Card）等の電話番号等を特定するためのＩＤ等が記憶された情報カードを使用している。情報カードを用いる電子機器は、情報カードを電子機器本体に差し込み、電子機器本体で情報カードに記憶されている情報を読み取り、割り当てられた電話番号等の情報を取得することで、電子機器として使用可能な状態となる。
【０００３】
ところで、電子機器の中には、情報カードを電池パック（バッテリ）と筐体との間、より具体的には、筐体の、操作キーが設けられている面とは反対の面で、電池パックにより覆われている面に情報カードの収容部を設けた構造のものがある。このように、情報カードを電池パックと筐体との間に収納するようにすることで、電子機器本体に電池パックを接続している状態では、構造的に情報カードを取り出せない構造とすることができる。また、電子機器の中には、特許文献１に記載されているような構造もある。
【先行技術文献】
【特許文献】
【０００４】
【特許文献１】特開平１０−３３６２９２号公報
【発明の概要】
【発明が解決しようとする課題】
【０００５】
しかしながら、電子機器をより薄型、軽量化するために筐体を小型化すると電池パックと筐体との間に情報カードの収納部を設けることができない形状の電子機器もある。例えば、情報カードが一部露出した状態となる構造とした場合は、電源がＯＮの状態で情報カードを着脱することが可能となってしまう。
【０００６】
本発明は、上記に鑑みてなされたものであって、情報カードの収納構造によらず、情報カードを適切に着脱することができる電子機器及び電子機器の制御方法を提供することを目的とする。
【課題を解決するための手段】
【０００７】
上述した課題を解決し、目的を達成するために、本発明は、電子機器であって、機器本体と、前記機器本体に電力を供給するバッテリと、情報を記憶し、前記機器本体に対して着脱可能な情報カードを収容する収容部と、前記機器本体に対して、前記情報カードが着脱中であるかを検出する検出部と、前記検出部によって前記情報カードが着脱中であることが検出されている間は、前記バッテリからの電力供給による前記機器本体の駆動を停止する切換部と、を有することを特徴とする。
【０００８】
ここで、前記切換部は、前記検出部によって、前記情報カードが着脱中であることが検出されている間は、前記バッテリから前記機器本体への電力の供給を停止することが好ましい。
【０００９】
また、前記バッテリは、前記収納部に対向し、前記情報カードの着脱時に、前記情報カードが前記バッテリ上を移動することが好ましい。
【００１０】
また、前記切換部は、前記検出部による検出結果を電気信号として検出し、検出した電気信号に基づいて、前記機器本体の駆動動作を制御することが好ましい。
【００１１】
また、前記切換部は、前記情報カードが装着されたことを検出したら、前記バッテリから前記機器本体へ電力の供給を開始することが好ましい。
【００１２】
また、前記情報カードは、前記機器本体を情報端末として使用可能な状態にする情報を記憶していることが好ましい。
【００１３】
また、前記検出部は、前記情報カードの着脱時に前記情報カードの移動経路上に配置されていることが好ましい。
【００１４】
また、前記情報カードは、長方形の４つの角のうち１つの角に切り欠き部が形成された５角形の板形状であり、前記検出部は、前記情報カードの着脱時に、前記切り欠き部と接触する接触部を有し、前記接触部は、前記情報カードが装着されたときには、前記切り欠き部と接触しないことが好ましい。
【００１５】
また、前記接触部は、前記情報カードの着脱時に前記情報カードによって押されることが好ましい。
【００１６】
上述した課題を解決し、目的を達成するために、本発明は、情報カードを着脱可能に収容する収容部と、機器本体に電力を供給するバッテリとを有する電子機器の制御方法であって、前記情報カードを前記機器本体に装着または離脱させる着脱動作中であるか検出する検出ステップと、前記検出ステップで、前記情報カードの着脱動作中であることを検出したら前記バッテリから前記機器本体への電力供給を停止する電力供給停止ステップと、を有することを特徴とする。
【発明の効果】
【００１７】
本発明にかかる電子機器及び電子機器の制御方法は、検出情報カードの収納構造によらず、情報カードを適切に着脱することができるという効果を奏する。
【図面の簡単な説明】
【００１８】
【図１】図１は、本発明の電子機器の一実施形態の概略構成を示すブロック図である。
【図２】図２は、図１に示す電子機器の外観、電池パックの概略構成を示す斜視図である。
【図３−１】図３−１は、カード収納部周辺の概略構成を示す平面図である。
【図３−２】図３−２は、図３−１のＡ−Ａ線断面図である。
【図４−１】図４−１は、カード収納部周辺の他の状態の概略構成を示す平面図である。
【図４−２】図４−２は、図４−１のＢ−Ｂ線断面図である。
【図５−１】図５−１は、カード収納部周辺の他の状態の概略構成を示す平面図である。
【図５−２】図５−２は、図５−１のＣ−Ｃ線断面図である。
【図６】図６は、電子機器の処理動作の一例を示すフロー図である。
【図７】図７は、電子機器の処理動作の他の例を示すフロー図である。
【発明を実施するための形態】
【００１９】
以下に、本発明にかかる電子機器の実施形態を図面に基づいて詳細に説明する。なお、この実施形態によりこの発明が限定されるものではない。例えば、以下に示す実施形態では、電子機器が、いわゆる携帯電話機の場合として説明するが、本発明はこれに限定されない。本発明の電子機器は、ネットワークまたは外部の端末とデータの送受信を行う機能を有する種々の携帯電子機器、例えば、ＰＤＡ（Personal Digital Assistant）、ポータブルナビゲーション装置、携帯ゲーム機や携帯テレビ等や、据置き型の電子機器、固定電話機、ＰＣ（Personal Computer）、テレビ等にも用いることができる。
【００２０】
図１は、本発明にかかる電子機器の一実施形態の概略構成を示すブロック図であり、図２は、図１に示す電子機器の外観、電池パックの概略構成を示す斜視図である。図１に示すように電子機器１０は、基本的に、筐体１２と、バッテリの一例である電池パック１４と、カバー１６と、電源制御部２０と、ＣＰＵ（Central Processing Unit）２２と、メモリ２４と、通信部２６と、操作部２８と、音声処理部３０と、表示部３２と、情報カード６０と、接続端子６２と、検出部６４とを有する。
【００２１】
図１及び図２に示すように、筐体１２は、電子機器１０の各部を内部に収納する外装である。本実施形態の筐体１２は、ヒンジで連結された２つの部材で構成され、折りたたみ可能な構成である。図２では、筐体１２を折りたたんだ状態を示している。また、筐体１２には、着脱可能なカバー１６がはめ込まれるようになっており、また、カバー１６と筐体１２とで形成される空間は、電池パック１４を収納する空間となる。また、電池パック１４を収納する空間の筐体１２の一部には、後述する情報カード６０を挿入可能なカード収納部６１が形成されている。カード収納部６１については、後ほど説明する。なお、本実施形態では、筐体１２を折りたたみ可能な筐体としたが、これに限定されず、２つの部材をスライドさせる筐体や、１つの箱型の筐体等にしてもよい。
【００２２】
電池パック１４は、二次電池であり、蓄電された電力を電源制御部２０に供給し、ＣＰＵ２２や、各部を作動させる。電池パック１４は、図２に示すように、上述した筐体１２とカバー１６とで形成される空間に、筐体１２に対して着脱可能な状態で保持されている。また、電池パック１４は、端子１４ａを有し、筐体１２に設けられた端子１２ａと接続される。
【００２３】
カバー１６は、電池パック１４の保持位置を覆うように形成されており、一部を筐体１２にはめ込むことで、筐体１２に固定される。カバー１６を筐体１２にはめ込むことで、電池パック１４は、目視されない状態となる。なお、カバー１６は、スライドさせることで、容易に着脱できる状態ではめ込まれている。
【００２４】
電源制御部２０は、電池パック１４から端子１４ａ、端子１２ａを介して供給される電力を、ＣＰＵ２２や、ディスプレイ等の表示部３２に供給する。また、電源制御部２０は、充電制御部４０と、切換部６８を有する。充電制御部４０は、充電端子５４を介して外部から充電用の電流が供給された際に、外部から供給される電流により電池パック１４を充電させるか否かを切り換える。ここで、充電端子５４は、ケーブルを介して家庭用のコンセント、電池等と接続される端子であり、コンセント等から供給される電力（電圧、電流）を受け取る部分である。充電端子５４から電力が供給されたら、電池パック１４は、充電制御部４０の制御に基づいて充電される。なお、切換部６８については後ほど説明する。
【００２５】
ＣＰＵ２２は、電子機器１０の全体的な動作を統括的に制御する処理部である。すなわち、電子機器１０の各種の処理が、操作部２８の操作や電子機器１０のメモリ２４に保存されるソフトウェアに応じて適切な手順で実行されるように、電源制御部２０や、通信部２６や、表示部３２等の動作を制御する。
【００２６】
ＣＰＵ２２は、メモリ２４に保存されているプログラム（例えば、オペレーティングシステムプログラム、アプリケーションプログラム等）に基づいて処理を実行する。
【００２７】
メモリ２４には、ＣＰＵ２２での処理に利用されるソフトウェアやデータが保存されており、上述したアプリケーションプログラムを作動させるタスク等も保存されている。
【００２８】
通信部２６は、基地局によって割り当てられるチャネルを介し、基地局との間でＣＤＭＡ方式などによる無線信号回線を確立し、基地局との間で電話通信及び情報通信を行う。
【００２９】
操作部２８は、例えば、電源キー、通話キー、数字キー、文字キー、方向キー、決定キー、発信キーなど、各種の機能が割り当てられたキーで構成され、これらのキーがユーザの操作により入力されると、その操作内容に対応する信号を発生させる。そして、発生した信号は、ユーザの指示としてＣＰＵ２２へ入力される。
【００３０】
音声処理部３０は、マイク５０に入力される音声信号やレシーバ５２から出力される音声信号の処理を実行する。
【００３１】
表示部３２は、液晶ディスプレイ（ＬＣＤ、Liquid Crystal Display）や、有機ＥＬ（Organic Electro−Luminescence）パネルなどの表示パネルを備え、ＣＰＵ２２から供給される映像データに応じた映像を表示パネルに表示させる。
【００３２】
次に、図１、図２に加えて、図３−１、図３−２、図４−１、図４−２、図５−１及び図５−２を用いて、情報カード６０、カード収納部６１、接続端子６２、検出部６４、切換部６８の各部について詳細に説明する。ここで、図３−１は、カード収納部周辺の概略構成を示す平面図であり、図３−２は、図３−１のＡ−Ａ線断面図である。また、図４−１は、カード収納部周辺の他の状態の概略構成を示す平面図であり、図４−２は、図４−１のＢ−Ｂ線断面図である。また、図５−１は、カード収納部周辺の他の状態の概略構成を示す平面図であり、図５−２は、図５−１のＣ−Ｃ線断面図である。
【００３３】
情報カード６０は、ＵＩＭカード（User Identity Module Card）や、ＳＩＭカード（Subscriber Identity Module Card）等の電話番号等を特定するためのＩＤ等の情報、つまり、電子機器１０を情報端末として使用可能にすることができる情報が記憶されたカード状の記憶媒体である。電子機器１0０が携帯電話機として使用される場合、情報カード６０は、図３−１及び図３−２に示すように、カード収納部６１に挿入（装着）されている。また、情報カード６０は、長方形の４つの角のうち１つの角に切り欠きが形成された５角形の板形状である。
【００３４】
カード収納部６１は、上述したように、筐体１２の電池パック１４が収納される部分、つまり、カバー１６で覆われる部分に形成されている。カード収納部６１は、情報カード６０の外周面の一部を覆う溝形状を有する。カード収納部６１は、図３−１及び図３−２に示すように、情報カード６０の一部を溝形状で挟み、かつ、情報カード６０の他の部分を露出させた状態で支持する。
【００３５】
接続端子６２は、情報カード６０が所定位置に挿入されたときに、情報カード６０に機構されている情報を読み取る読み取り機構であり、カード収納部６１の内面に設けられている。なお、接続端子６２としては、情報カード６０が非接触で情報を読み取れる機構媒体である場合は、非接触で情報を読み取る読み取り機構であり、端子等を介して接触して情報を読み取る必要がある記憶媒体の場合は、端子で接続して情報を読み取る読み取り機構が用いられる。
【００３６】
検出部６４は、接触端子６４ａと、力を加えられることで弾性変形する弾性部６４ｂとで構成されたスイッチであり、情報カード６０をカード収納部６１に挿入した状態のとき、情報カード６０の切り欠き部分と対向する位置に配置されている。つまり、検出部６４は、情報カード６０の長方形の４つの角の中で切り欠きが形成された１つの角に配置されている。ここで、弾性部６４ｂとしては、ばねやゴムを用いることができる。検出部６４は、接触端子６４ａに対して、弾性部６４ｂを縮める方向の力が加えられ、弾性部６４ｂが縮み、検出部６４が一定長さ以上凹んだ状態となったら、ＯＦＦの信号を出力する。また、検出部６４は、接触端子６４ａに対して、弾性部６４ｂを縮める方向に、小さい力しか作用しておらず、検出部６４が一定長さより凹んでいない状態では、ＯＮの信号を出力する。
【００３７】
検出部６４は、以上のような構成であり、図３−１及び図３−２に示すように、情報カード６０がカード収納部６１に適切に収納されているときは、情報カード６０から検出部６４に、弾性部６４ｂを縮める方向の力が加わらない状態となる。なお、情報カード６０がカード収納部６１に適切に収納されているとき、検出部６４は、情報カード６０の切り欠き部とは接触しない構造となっている。また、図４−１及び図４−２に示すように、情報カード６０をカード収納部６１に差し込んでいる途中や、カード収納部６１から引き出す途中、つまり、情報カード６０の着脱動作中は、情報カード６０が検出部６４を一定の力で押し、検出部６４が一定長さ以上凹んだ状態となる。なお、情報カード６０をカード収納部６１に差し込む動作中及び、カード収納部６１から引き出す動作中に、検出部６４は、情報カード６０の切り欠き部と接触する、具体的には、差し込み終了直前と、引き出し直後に接触する。また、図５−１及び図５−２に示すように、カード収納部６１に情報カード６０が差し込まれていない状態、つまり、カード収納部６１が空の状態の場合は、基本的に弾性部６４ｂを縮める方向に、小さい力しか作用しておらず、検出部６４が一定長さより凹んでいない状態となる。
【００３８】
次に、切換部６８は、検出部６４の検出結果を信号としてＣＰＵ２２に送る。具体的には、検出部６４からＯＦＦの信号が送られていることを検出したら、つまり、検出部６４に外力が働き、一定長さ以上凹んでいる場合は、ＣＰＵ２２にＯＦＦの信号を送る。また、検出部６４からＯＮの信号が送られていることを検出したら、つまり、検出部６４に一定以上の外力が働いておらず、一定長さより凹んでいない場合は、ＣＰＵ２２にＯＮの信号を送る。
【００３９】
次に、図６を用いて電子機器１０の動作について説明する。ここで、図６は、電子機器の処理動作の一例を示すフロー図である。なお、図６に示す動作は、ＣＰＵ２２による情報カード６０の読み取り動作の一例を示している。また、本動作例では、情報カードとして、ＵＩＭカードを用いた場合として説明する。まず、電子機器１０は、情報カード６０に記憶されている情報を取得する必要が生じたら、ステップＳ１２として、ＣＰＵ２２により情報カードへのアクセスを開始する。ここで、情報カード６０に記憶されている情報を取得するタイミングとして、電源の立ち上げ時や、課金発生時等、電子機器１０の使用者を特定する必要がある場合である。
【００４０】
ＣＰＵ２２は、ステップＳ１２で情報カード６０へのアクセスを開始したら、次に、ステップＳ１４として、検出部６４から出力されている検出信号がＯＮ状態であるかを判定する。ここで、検出信号は、電源制御部２０を介して取得することができる。ＣＰＵ２２は、ステップＳ１４で検出信号がＯＮである（Ｙｅｓ）と判定したら、情報カード６０の着脱操作中ではないと判断し、ステップＳ１６として、情報カード６０に記憶されているＵＩＭを読み込む。その後、ＣＰＵ２２は、ステップＳ２０に進む。また、ＣＰＵ２２は、ステップＳ１４で検出信号がＯＮではない（Ｎｏ）、つまり、検出信号がＯＦＦであると判定したら、情報カード６０の着脱操作中であると判断し、ステップＳ１８として電源をＯＦＦにして、処理を終了する。ここで、電源をＯＦＦにするとは、ＣＰＵ２２で駆動しているソフトをシャットダウンすることであり、ＣＰＵ２２の駆動を停止しても、電源制御部２０からの電力の供給を停止させてもよい。
【００４１】
次に、ＣＰＵ２２は、ステップＳ１６でＵＩＭを読み込んだら、ステップＳ２０として、読み込んだＵＩＭのＵＩＭ番号（ＩＣＣＩＤ：IC Card Identity、固有番号）が、前回値と一致しているかを判定する。つまり、情報カードが前回の情報カードと同一であるかを情報カードの固有番号を照合することで判定する。ＣＰＵ２２は、ステップＳ２０で、ＵＩＭ番号が一致しない（Ｎｏ）と判定したら、ステップＳ２２として、ＵＩＭエラー処理をする。つまり、情報カードが前回とは異なるカードであるとして、エラーを表示させる。また必要に応じて、一部の機能、例えば、通話機能を停止する。ＣＰＵ２２は、その後処理を終了する。
【００４２】
また、ＣＰＵ２２は、ステップＳ２０でＵＩＭ番号が一致する（Ｙｅｓ）と判定したら、ステップＳ２４として、ノーマル（通常）動作を行い、処理を終了する。つまり、特に制約なく、情報カード６０から取得した情報を用いて、通常の処理動作を行う。なお、情報カード６０の読み取り動作は間欠的に行われる。電子機器１０は、基本的に以上のように動作する。
【００４３】
このように、電子機器１０は、検出部６４、切換部６８等で構成される情報カード６０が着脱中であるか否かを検出する機構を設け、情報カード６０の着脱動作中は、電源をＯＦＦにするようにすることで、情報カード６０の一部が露出しており、電池パック１４の端子１４ａを筐体１２の端子１２ａと接続させたまま、つまり、電源をＯＮにしたままの状態で情報カード６０を着脱（差し込み及び／または抜き取り）することができる構造であっても、電源をＯＮにしたまま情報カード６０が着脱されることを抑制することできる。すなわち、情報カード６０の着脱動作が行われると、検出部６４で着脱動作が検出され自動的に電源がＯＦＦになるため、電源がＯＮの状態で、情報カード６０の着脱動作が行われにくくすることができる。
【００４４】
また、情報カード６０の切り欠き部に対応する位置に、検出部６４を設けることで、５角形の情報カード６０が誤った向きでカード収納部６１に挿入された場合は、検出部６４が情報カード６０により押され、検出部６４の検出信号ＯＦＦとなる。これにより、誤った向きで挿入された場合は、読み取り動作を行わないようにすることができる。また、検出部６４が押された状態となり、情報カード６０が浮いた状態となるため、操作者が誤操作に気づくことができる。また、切り欠きの位置と、検出部６４との位置を照らし合わせて挿入すればよいため、操作者が挿入前に情報カード６０の向きを確認する際の補助をすることができ、また、挿入時に挿入する目印ともなる。
【００４５】
また、検出部６４で、情報カード６０の着脱動作のみを検出するようにすることで、情報カード６０が挿入されていない場合も電源をＯＮにする設定とすることもできる。なお、情報カード６０が挿入されていないと通常の携帯電話機としては使用することができないが、電源はＯＮにできるようにすることで、設定や仕様により救急連絡先のみ、いわゆる、１１０番や、１１９番のみは連絡できるようにすることもできる。また、電源がＯＮになるようにすることで、情報カード６０が挿入されていないことを操作者に通知することができ、操作者が故障により電子機器１０が起動しないのではないことを知ることができ、使用できない理由を知ることができる。また、情報カード６０が挿入されていない状態でも電源がＯＮとなるようにすることで、製造時に情報カード６０を挿入することなく、検品や、性能調整を行うことができ、製造時にかかる手間を増やさないようにすることができる。
【００４６】
ここで、上記実施形態では、情報カード６０の読み取り時に情報カード６０が着脱中であるかを検出したが、これに限定されない。例えば、切換部６８が検出部６４の検出結果に基づいて、電池パック１４から供給される電力を、ＣＰＵ２２や、ディスプレイ等の表示部３２に電力を供給するか否かを切り替えるようにしてもよい。具体的には、検出部６４からＯＦＦの信号が送られていることを検出したら、つまり、検出部６４に外力が働き、一定長さ以上凹んでいる場合は、電池パック１４からＣＰＵ２２や、表示部３２への電力の供給を停止する。また、検出部６４からＯＮの信号が送られていることを検出したら、つまり、検出部６４に一定以上の外力が働いておらず、一定長さより凹んでいない場合は、電池パック１４からＣＰＵ２２や、表示部３２に電力を供給する。
【００４７】
次に、図７を用いて、切換部６８が検出部６４の検出結果に基づいて、電池パック１４から供給される電力を、ＣＰＵ２２や、ディスプレイ等の表示部３２に電力を供給するか否かを切り替える動作の一例を説明する。ここで、図７は、電子機器の処理動作の他の例を示すフロー図である。まず、電子機器１０の切換部６８は、ステップＳ３０として、検出部６４からの信号に基づいて情報カード６０の着脱動作中であるかを判定する。つまり、検出部６４から送られる信号がＯＮの信号であるかＯＦＦの信号であるかを判定する。
【００４８】
切換部６８は、ステップＳ３０で、情報カード６０の着脱動作中ではない（ＮＯ）、つまり、検出部６４からＯＮの信号が送られていると検出したら、ステップＳ３０に進む。つまり、切換部６８は、ステップＳ３０でＮＯと検出されている間は、ステップＳ３０を繰り返す。また、切換部６８は、情報カード６０の着脱動作中である（Ｙｅｓ）、つまり、検出部６４からＯＦＦの信号が送られていると検出したら、ステップＳ３２に進む。
【００４９】
切換部６８は、ステップＳ３２として、電力の供給を停止する。つまり、電源制御部２０により、電池パック１４からＣＰＵ２２及び表示部３２等への電力の供給を停止し、電子機器１０の各機能を停止させ、電源ＯＦＦの状態とする。
【００５０】
切換部６８は、ステップＳ３２で電力の供給を停止したら、ステップＳ３４として、情報カード６０が装着されているかを判定する。具体的には、検出部６４から送られている信号がＯＮであり、かつ、接続端子６２等により、情報カード６０がカード収納部６１内にあるかを検出する。切換部６８は、ステップＳ３４で情報カード６０が装着されていない（Ｎｏ）と判定したら、ステップＳ３４に進む。つまり、切換部６８は、ステップＳ３４でＮＯと検出されている間は、ステップＳ３４を繰り返す。また、切換部６８は、ステップＳ３４で情報カード６０が装着されていると判定したら、ステップＳ３６として、電源制御部２０により、電池パック１４からＣＰＵ２２及び表示部３２等へ電力の供給を再開する。その後、ステップＳ３８として電子機器１０のＣＰＵ２０は、切換部６８または電源制御部２０からの信号に基づいて、各機能を再起動させ、電源ＯＮの状態とする。
【００５１】
このように、検出部６４で情報カード６０が着脱中であることを検出したら、つまり、検出部６４が一定長さ以上凹んだら、電源をＯＦＦにすることで、より確実に、電源がＯＮの状態で情報カード６０が着脱されることを抑制することができる。なお、この場合は、常に検出部等が動作しているため、消費電力は多くなる。
【００５２】
また、情報カード６０の装着が確認されたら、自動的に電源をＯＮさせ、各機能を再起動することで、操作者の手間を省くことができ、操作性を高くすることができる。なお、上記効果を得ることができるが、ステップＳ３４からステップＳ３８の処理は必ずしも必要ではない。
【００５３】
また、上記実施形態では、ステップＳ３４で、情報カード６０が装着されているかを判定したが、着脱動作が終わっているかを判定するようにしてもよい。着脱動作で判定する場合は、情報カード６０が挿入されていない場合も電源がＯＮになるが、ステップＳ３４での検出時に検出部６４からの信号のみで判定することができ、別途機能を起動させる必要がなくなり、制御が簡単になる。
【００５４】
なお、上記実施形態では、検出部６４からＯＮ、ＯＦＦの両方の信号を出力するようにしたが、ＯＮ、ＯＦＦの信号は、一方の信号のみを出力するようにしてもよい。例えば、ＯＮの信号は出力せず、ＯＦＦの信号のみを出力し、切換部６８では、信号の出力がないときは、ＯＮの状態であると判定するようにしてもよい。また、ＯＦＦ信号のみを出力することで、切換部６８は、検出部６４からの信号の入力を起動のスイッチとして、判定を開始するようにすることもできる。
【００５５】
また、上記実施形態では、情報カード６０の着脱中は、電池パック１４から各部への電力の供給を停止するようにしたが、少なくとも電池パック１４からの電力供給により駆動する各機能を停止できればよく、例えば、電力の供給を維持した状態で、各機能を停止（シャットダウン）するようにしてもよい。
【００５６】
また、検出部６４または切換部６８は、ＯＦＦの信号を出力する条件が、一定時間以上、または一定回数以上検出されたら、ＯＦＦの信号を出力するようにすることが好ましい。ここで、ＯＦＦの信号を出力する条件とは、検出部６４の場合は、検出部６４が一定長さ以上凹んでいる状態が例示され、切換部６８の場合は、検出部６４から送られるＯＦＦの信号が例示される。このように、複数回、または一定時間の検出に基づいて制御を行うことで、チャタリング等に起因する誤検出の発生を抑制することができる。
【００５７】
また、上記実施形態では、検出部６４として、情報カード６０の着脱時に、接触端子６４ａが板状の情報カードの面積が一番広い面（表面）と接触する向きで配置したが、本発明はこれに限定されない。例えば、情報カード６０の着脱時に、接触端子６４ａが板状の情報カード６０の側面と接触する向きで配置してもよい。つまり、弾性部６４ｂがカード収納部６１の開口の長手方向と平行な方向に伸縮するように配置してもよい。この場合も検出部６４を切り欠き部に対応する位置に配置することで、情報カード６０の着脱時と、情報カード６０がカード収納部６１に正常に挿入されている時とで、接触端子６４ａと情報カード６０とが接触する位置が異なる位置となる。これにより、情報カード６０の着脱時は、情報カード６０により接触端子６４ａが押された状態となり、上記の実施例と同様に検出することができる。
【００５８】
また、上記の種々の効果を得ることができ、また、装置内の空間を有効に利用できるため、情報カードの切り欠き部に対応する位置に検出部を設けることが好ましいが、情報カードの着脱が行われていることを検出できれば、検出部の配置位置は特に限定されない。また、より簡単な構成で着脱動作を検出できるため、検出部は、着脱時に情報カードが移動する経路上に設けることが好ましい。例えば、カード収納部に情報カードを装着した時に、情報カードの挿入方向に直交する方向に伸びた辺に隣接した位置に検出部を設けてもよい。この位置に設けることで、情報カードの着脱時に情報カードが検出部の上を通り、情報カードが検出部を押すようにすることができる。
【００５９】
また、上記実施形態では、装置構成を簡単にできるため検出部を１箇所に設けたが、検出部を２箇所に設けるようにしてもよい。具体的には、装着時に情報カードが配置される領域において、情報カードの挿入方向の先端と後端に検出部を設ければよい。この場合は、一方のセンサが情報カードを検出し、他方の情報カードを検出していない場合は、着脱動作中と判定することができる。
【００６０】
また上記実施形態では、いずれも検出部を情報カードと接触することで凹む、接触型のセンサとしたが、本発明はこれに限定されない。検出部としては、光学的センサを用いてもよい。この場合は、光学的センサの検出位置を情報カードが通過すると、その他の場合とで検出値が変化する。光学的センサは、この変化を検出することで、情報カードが検出位置を通過しているかを判定し、通過していると判定したら、情報カードの着脱動作中であると判定することができる。ここで光学的センサとしては、発光部と受光部とで構成され、発光部から射出され、対向する位置にある物体に反射されて受光部に入射した検査光の強度により変化を検出する光センサと、受光部のみからなり、入光する光の変化により、状態の変化を検出する光センサを用いることができる。
【００６１】
また、上記実施形態では、カバー１６によりカード収納部６１を隠すことができ、且つ、電池パック１４が収納されている時は情報カードを着脱しにくくできるため、本実施形態のように、情報カード６０が電池パック１４と接触するような位置にカード収納部６１等を設ける、つまり、カード収納部６１を電池パック１４に対向し、かつ情報カードの６０の着脱時に情報カード６０が電池パック１４上を通過する位置（電池パック１４が載置されている領域の上を通過する位置）に設けることが好ましいが、本発明はこれに限定されない。情報カード６０、カード収納部６１の配置位置は特に限定されず、筐体１２内のいずれの位置に設けてもよい。例えば、ＳＤカード等の記憶媒体を収納する収納部の横にカード収納部を設けるようにしてもよい。筐体１２のいずれの位置に情報カード６０を挿入するようにしても、検出部で、情報カード６０の着脱動作を検出することで、上記のように、電源がＯＮの状態で情報カードが着脱されることを抑制することができる。
【００６２】
また、上記実施形態では、検出部の検出結果に基づいて、情報を処理し、電気信号により、各部の動作を制御したが、メカニカルなスイッチで情報カードの着脱中であるかを検出し、メカニカルなスイッチで電池パックから各部への電力供給を停止するようにしてもよい。
【００６３】
また、説明の簡略化のために、各例を個別に説明したが、それぞれの実施形態を共に備えていてもよいことは言うまでもない。
【産業上の利用可能性】
【００６４】
以上のように、本発明にかかる電子機器及び電子機器の制御方法は、情報カードを着脱する電子機器、特に携帯電子機器に用いることに適している。
【符号の説明】
【００６５】
１０  電子機器
１２  筐体
１４  電池パック
１６  カバー
２０  電源制御部
２２  ＣＰＵ
２４  メモリ
２６  通信部
２８  操作部
３０  音声処理部
３２  表示部
３４  ＧＰＳ受信部
５０  マイク
５２  レシーバ
５４  充電端子
６０  情報カード
６１  カード収納部
６２  接続端子
６４  検出部
６８  切換部
【図１】
2010224781.tif 000003
【図２】
2010224781.tif 000004
【図３−１】
2010224781.tif 000005
【図３−２】
2010224781.tif 000006
【図４−１】
2010224781.tif 000007
【図４−２】
2010224781.tif 000008
【図５−１】
2010224781.tif 000009
【図５−２】
2010224781.tif 000010
【図６】
2010224781.tif 000011
【図７】
2010224781.tif 000012